【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
地震時管制運転を実施した後、エレベータのかごを走行させながらギアード巻上機のトルク電流を測定し、その測定値と所定の参照パターンとを比較して、その差が閾値を超えた場合に異常と判定する診断運転を行うエレベータの診断運転装置であって、
前記巻上機のギアのギア比及び前記巻上機の駆動綱車の径を含む所定のエレベータ情報が記憶されたエレベータ情報記憶部と、
環境等によって変動する前記巻上機のギアの効率を得るため、前記巻上機のギアに使用される潤滑油の温度を検出する状態情報検出手段と、
巻上機のギアのギア比及び効率、並びに駆動綱車の径のそれぞれを変数として、これらの変数の値を変えることにより複数の閾値を得ることができる閾値取得手段が記憶された閾値取得手段記憶部と、
前記エレベータ情報記憶部に記憶されたエレベータ情報、前記状態情報検出手段によって検出された潤滑油の温度、前記閾値取得手段記憶部に記憶された閾値取得手段に基づいて、前記巻上機のトルク電流に対する閾値を決定する閾値決定部と、
を備えたことを特徴とするエレベータの診断運転装置。
【請求項２】
前記状態情報検出手段は、地震発生後の所定期間に潤滑油の温度を検出し、
前記閾値決定部は、地震発生後診断運転開始前に、トルク電流に対する閾値を決定する
ことを特徴とする請求項１に記載のエレベータの診断運転装置。
【請求項３】
地震時管制運転を実施した後、エレベータのかごを走行させながらギアード巻上機のトルク電流を測定し、その測定値と所定の参照パターンとを比較して、その差が閾値を超えた場合に異常と判定する診断運転を行うエレベータの診断運転装置であって、
前記巻上機のギアのギア比及び効率、並びに前記巻上機の駆動綱車の径を含む所定のエレベータ情報が記憶されたエレベータ情報記憶部と、
巻上機のギアのギア比及び効率、並びに駆動綱車の径のそれぞれを変数として、これらの変数の値を変えることにより複数の閾値を得ることができる閾値取得手段が記憶された閾値取得手段記憶部と、
前記エレベータ情報記憶部に記憶されたエレベータ情報、及び前記閾値取得手段記憶部に記憶された閾値取得手段に基づいて、前記巻上機のトルク電流に対する閾値を決定する閾値決定部と、
を備えたことを特徴とするエレベータの診断運転装置。
【請求項４】
前記閾値取得手段記憶部は、エレベータの力行に対応する閾値取得手段と、回生に対応する閾値取得手段とが記憶され、
前記閾値決定部は、診断運転時の力行及び回生に合わせて、トルク電流に対する閾値を決定する
ことを特徴とする請求項１から請求項３の何れかに記載のエレベータの診断運転装置。
【請求項５】
地震時管制運転を実施した後、エレベータのかごを走行させながらギアード巻上機のトルク電流を測定し、その測定値と所定の参照パターンとを比較して、その差が閾値を超えた場合に異常と判定する診断運転を行うエレベータの診断運転方法であって、
地震発生前に、前記巻上機のギアのギア比及び前記巻上機の駆動綱車の径を含む所定のエレベータ情報をエレベータ情報記憶部に記憶するステップと、
巻上機のギアのギア比及び効率、並びに駆動綱車の径のそれぞれを変数として、これらの変数の値を変えることにより複数の閾値を得ることができる閾値取得手段を、地震発生前に、閾値取得手段記憶部に記憶するステップと、
環境等によって変動する前記巻上機のギアの効率を得るため、地震発生後の所定期間に、前記巻上機のギアに使用される潤滑油の温度を検出するステップと、
地震発生前に前記エレベータ情報記憶部に記憶されたエレベータ情報及び前記閾値取得手段記憶部に記憶された閾値取得手段、並びに、地震発生後の前記所定期間に検出された潤滑油の温度に基づいて、診断運転の開始前に、前記巻上機のトルク電流に対する閾値を決定するステップと、
を備えたことを特徴とするエレベータの診断運転方法。
【請求項６】
潤滑油の温度を検出する地震発生後の所定期間は、地震時管制運転中の所定期間であることを特徴とする請求項５に記載のエレベータの診断運転方法。
【手続補正２】
【補正対象書類名】明細書
【補正対象項目名】００１２
【補正方法】変更
【補正の内容】
【００１２】
この発明に係るエレベータの診断運転装置は、地震時管制運転を実施した後、エレベータのかごを走行させながらギアード巻上機のトルク電流を測定し、その測定値と所定の参照パターンとを比較して、その差が閾値を超えた場合に異常と判定する診断運転を行うエレベータの診断運転装置であって、上記巻上機のギアのギア比及び上記巻上機の駆動綱車の径を含む所定のエレベータ情報が記憶されたエレベータ情報記憶部と、環境等によって変動する上記巻上機のギアの効率を得るため、上記巻上機のギアに使用される潤滑油の温度を検出する状態情報検出手段と、巻上機のギアのギア比及び効率、並びに駆動綱車の径のそれぞれを変数として、これらの変数の値を変えることにより複数の閾値を得ることができる閾値取得手段が記憶された閾値取得手段記憶部と、エレベータ情報記憶部に記憶されたエレベータ情報、状態情報検出手段によって検出された潤滑油の温度、閾値取得手段記憶部に記憶された閾値取得手段に基づいて、上記巻上機のトルク電流に対する閾値を決定する閾値決定部と、を備えたものである。
【手続補正３】
【補正対象書類名】明細書
【補正対象項目名】００１３
【補正方法】変更
【補正の内容】
【００１３】
また、この発明に係るエレベータの診断運転装置は、地震時管制運転を実施した後、エレベータのかごを走行させながらギアード巻上機のトルク電流を測定し、その測定値と所定の参照パターンとを比較して、その差が閾値を超えた場合に異常と判定する診断運転を行うエレベータの診断運転装置であって、上記巻上機のギアのギア比及び効率、並びに上記巻上機の駆動綱車の径を含む所定のエレベータ情報が記憶されたエレベータ情報記憶部と、巻上機のギアのギア比及び効率、並びに駆動綱車の径のそれぞれを変数として、これらの変数の値を変えることにより複数の閾値を得ることができる閾値取得手段が記憶された閾値取得手段記憶部と、エレベータ情報記憶部に記憶されたエレベータ情報、及び閾値取得手段記憶部に記憶された閾値取得手段に基づいて、上記巻上機のトルク電流に対する閾値を決定する閾値決定部と、を備えたものである。
【手続補正４】
【補正対象書類名】明細書
【補正対象項目名】００１４
【補正方法】変更
【補正の内容】
【００１４】
この発明に係るエレベータの診断運転方法は、地震時管制運転を実施した後、エレベータのかごを走行させながらギアード巻上機のトルク電流を測定し、その測定値と所定の参照パターンとを比較して、その差が閾値を超えた場合に異常と判定する診断運転を行うエレベータの診断運転方法であって、地震発生前に、上記巻上機のギアのギア比及び上記巻上機の駆動綱車の径を含む所定のエレベータ情報をエレベータ情報記憶部に記憶するステップと、巻上機のギアのギア比及び効率、並びに駆動綱車の径のそれぞれを変数として、これらの変数の値を変えることにより複数の閾値を得ることができる閾値取得手段を、地震発生前に、閾値取得手段記憶部に記憶するステップと、環境等によって変動する上記巻上機のギアの効率を得るため、地震発生後の所定期間に、上記巻上機のギアに使用される潤滑油の温度を検出するステップと、地震発生前にエレベータ情報記憶部に記憶されたエレベータ情報及び閾値取得手段記憶部に記憶された閾値取得手段、並びに、地震発生後の所定期間に検出された潤滑油の温度に基づいて、診断運転の開始前に、上記巻上機のトルク電流に対する閾値を決定するステップと、を備えたものである。
【手続補正５】
【補正対象書類名】図面
【補正対象項目名】図２
【補正方法】変更
【補正の内容】
【図２】
2008254876.tif 000001